(57)【要約】【課題】駆動レールによって巻き上げられた磨耗粉が移動手摺の内側面に入ってしまうことを防止するエスカレータを提供することである。【解決手段】エスカレータ１０において、加圧ローラ１２０とともに移動手摺７０を挟みながら移動手摺７０を駆動する駆動ローラ１００と、無端状の移動手摺７０を案内し、駆動ローラ１００の両端近傍で途切れた端部を有する移動手摺案内レール４２と、移動手摺案内レール４２の端部と駆動ローラ１００との間に形成された空隙に設けられたゴミ収納箱２００とを備え、ゴミ収納箱２００は、箱型形状を有するゴミ蓄積部２０４と、ゴミ蓄積部２０４を移動手摺案内レール４２に取り付けるための取付部２０６と、を有する。【選択図】図１
2010089889.tif 000002
【特許請求の範囲】
【請求項１】
加圧ローラとともに移動手摺を挟みながら移動手摺を駆動する駆動ローラと、
無端状の移動手摺を案内し、駆動ローラの両端近傍で途切れた端部を有する移動手摺案内レールと、
移動手摺案内レールの端部と駆動ローラとの間に形成された空隙に設けられたゴミ収納箱と、
を備えることを特徴とするエスカレータ。
【請求項２】
請求項１に記載のエスカレータにおいて、
ゴミ収納箱は、移動手摺案内レールの端部に着脱可能であることを特徴とするエスカレータ。
【請求項３】
請求項１または請求項２に記載のエスカレータにおいて、
ゴミ収納箱は、
箱型形状を有するゴミ蓄積部と、
ゴミ蓄積部を移動手摺案内レールに取り付けるための取付部と、
を有することを特徴とするエスカレータ。
【発明の詳細な説明】
【技術分野】
【０００１】
本発明は、エスカレータに係り、特に、無端状の移動手摺を案内する移動手摺案内レールを有するエスカレータに関する。
【背景技術】
【０００２】
近年、商業施設等の様々な場所においてエスカレータが設置されている。エスカレータの使用頻度が多くなると、移動手摺と移動手摺案内レールとが磨耗して、その磨耗粉が移動手摺を駆動する駆動ローラによって巻き上げられて移動手摺案内レールの端部に蓄積する。そして、その蓄積された磨耗粉が移動手摺の内側面に入って、そのままエスカレータの使用を継続すると磨耗粉が外部に飛散してエスカレータが汚れてしまったり、走行ロスにつながったりする可能性がある。
【０００３】
特許文献１には、エスカレータ移動手摺の内面に挿入可能な幅を有するブラシ台と、ブラシ台の下面に植設されたブラシと、ブラシ台の手摺幅方向に回動可能に取り付けられた一対のブラシ支持腕と、一対のブラシ支持腕にそれぞれ取り付けられエスカレータ移動手摺内面の湾曲部に当接する湾曲部清掃ブラシと、を備えるエスカレータ移動手摺内面清掃具が開示されている。
【０００４】
【特許文献１】特開平８−４８４８４号公報
【発明の開示】
【発明が解決しようとする課題】
【０００５】
上記特許文献１のエスカレータ移動手摺内面清掃具を用いることで、移動手摺の内側面に付着した磨耗粉を清掃することができる。しかし、特許文献１のエスカレータ移動手摺内面清掃具では、実際に移動手摺の内側面に磨耗粉が付着してしまってから清掃しているため、清掃を行う時期的な間隔が空くとエスカレータの使用状況により磨耗粉が外部に飛散してエスカレータが汚れてしまったり、走行ロスにつながったりする可能性がある。
【０００６】
本発明の目的は、駆動レールによって巻き上げられた磨耗粉が移動手摺の内側面に入ってしまうことを防止するエスカレータを提供することである。
【課題を解決するための手段】
【０００７】
本発明に係るエスカレータは、加圧ローラとともに移動手摺を挟みながら移動手摺を駆動する駆動ローラと、無端状の移動手摺を案内し、駆動ローラの両端近傍で途切れた端部を有する移動手摺案内レールと、移動手摺案内レールの端部と駆動ローラとの間に形成された空隙に設けられたゴミ収納箱と、を備えることを特徴とする。
【０００８】
また、本発明に係るエスカレータにおいて、ゴミ収納箱は、移動手摺案内レールの端部に着脱可能であることが好ましい。
【０００９】
また、本発明に係るエスカレータにおいて、ゴミ収納箱は、箱型形状を有するゴミ蓄積部と、ゴミ蓄積部を移動手摺案内レールに取り付けるための取付部と、を有することが好ましい。
【発明の効果】
【００１０】
上記構成のエスカレータによれば、移動手摺や移動手摺案内レールの磨耗粉が駆動ローラによって巻き上げられた磨耗粉をゴミ収納箱によって収納することができる。これにより、駆動ローラによって巻き上げられた磨耗粉が移動手摺の内側面に入ってしまうことを防止することができる。
【発明を実施するための最良の形態】
【００１１】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１２】
図１は、本発明の一実施形態のエスカレータ１０の構成図である。エスカレータ１０は、高低差のある乗場床６と降場床８との間で乗客４を移動させる装置である。エスカレータ１０は、乗客４が乗るステップ１２と、それぞれのステップ１２が連結されるステップチェーン１４と、ステップチェーン１４を駆動する主駆動装置１６と、移動手摺７０と支え部３０とを含む欄干部２０と、移動手摺７０を駆動する手摺駆動装置１４０と、ゴミ収納箱２００とを含んで構成される。手摺駆動装置１４０は、駆動ローラ１００と加圧ローラ１２０とを含んで構成されるが詳細な説明は後述する。
【００１３】
ステップ１２は、乗客４が一人または二人乗れる程度の大きさを有する。エスカレータ１０が斜面を運行する際には、複数のステップ１２は、地面に対して水平な状態を保ちつつ移動する。また、ステップ１２にはスリップ防止のための溝が複数設けられている。
【００１４】
ステップチェーン１４は、図示されていない適当な軸部材を介して、それぞれのステップ１２を連結し、主駆動装置１６の駆動力をそれぞれのステップ１２に伝達するものである。また、ステップチェーン１４は、エスカレータ１０のステップ１２の左右両側に１本ずつ配置されている。
【００１５】
主駆動装置１６は、エスカレータ１０を駆動する駆動力を出力する装置で、例えば、電動機と減速歯車等から構成される。主駆動装置１６により出力された駆動力は、図示されていない駆動伝達手段を介してステップチェーン１４及び図示されていない移動手摺チェーンを介して駆動ローラ１００に伝達される。
【００１６】
欄干部２０は、無端状の移動手摺７０と、ステップ１２が移動する際に乗客４の体がエスカレータ１０の外に出ることを防止する支え部３０から構成されている。移動手摺７０は、乗客４が手を添え、または掴まる部分であり、支え部３０は移動手摺７０を案内する機能を有する。また、支え部３０は、上部に設けられた移動手摺案内レール４２と、移動手摺案内レール４２の下部に設けられた内側板３２で構成される。なお、移動手摺案内レール４２は、駆動ローラ１００の両端近傍において途切れた端部を有している。
【００１７】
ここで移動手摺７０と支え部３０との関係の構成を詳細に説明する。図２は、図１において移動手摺７０の進行方向に垂直な断面図、すなわちＡ−Ａ線断面図に相当する移動手摺７０と支え部３０の関係を示している。移動手摺７０は、芯地である鋼芯６４と、その周囲を被覆したキャンバス積層部６８と、さらに、その外側に配置された表層部６６とを含んで構成されている。表層部６６の材料としては、手触りが良いもの、例えば生ゴム等を用いることができる。キャンバス積層部６８は、適当な強度を確保するため、例えばキャンバス地を用いることができる。
【００１８】
移動手摺案内レール４２は、略Ｃ字状断面の移動手摺７０の内側に配置され、移動手摺７０の内側面形状とほぼ同じ形状の外形を有する。さらに、移動手摺７０の内側面に移動手摺案内レール４２の外形が接触し、これにより移動手摺７０が摺動するときに進路を外すことがないように案内される。
【００１９】
内側板３２は、エレベータの両側面を構成することになるので、装飾的な観点や適当な強度を確保するため、例えば、ガラスパネルやステンレスを素材として構成される。なお、移動手摺案内レール４２と内側板３２とは、ボルト等の接続部材を用いて接続されている。
【００２０】
再び図１に戻って、手摺駆動装置１４０について説明する。手摺駆動装置１４０は、上記のように移動手摺７０を駆動する機能を有し、駆動ローラ１００と加圧ローラ１２０とを含んで構成される。
【００２１】
手摺駆動装置１４０においては、移動手摺７０を挟んで複数の駆動ローラ１００に対向する位置に複数の加圧ローラ１２０が配置される。これら複数の加圧ローラ１２０を構成する１つの加圧ローラ１２０は、複数の駆動ローラ１００を構成する１つの駆動ローラ１００と対を成すように並んでいる。駆動ローラ１００は、主駆動装置１６より出力された駆動力により駆動され、また、加圧ローラ１２０は、対応する駆動ローラ１００に向かって、移動手摺７０を図示していない加圧手段によって押し付け、駆動ローラ１００の駆動に従って回転する。
【００２２】
移動手摺７０は、無端状に配置され、移動手摺７０の帰路側において、駆動ローラ１００が矢印Ｄ方向に回転することにより、加圧ローラ１２０との間に挟みこまれた移動手摺７０が図１の矢印Ｃ方向に移動する。
【００２３】
図３は、図１において、移動手摺７０の進行方向に垂直な断面図、すなわち、Ｂ−Ｂ線断面図に相当する駆動ローラ１００と加圧ローラ１２０との関係を示したものである。駆動ローラ１００及び加圧ローラ１２０は、例えば、材料がウレタン等で構成されている。駆動ローラ１００は、移動手摺７０に沿う形で配置され、加圧ローラ１２０は、図３でＷと示される幅方向において、移動手摺７０を挟んで駆動ローラ１００に対向して配置される。
【００２４】
図４は、図１における一点鎖線Ｅの領域の拡大図である。図５は、図４において駆動ローラ１００と加圧ローラ１２０とを取り除いた状態の斜視図である。ゴミ収納箱２００が駆動ローラ１００と移動手摺案内レール４２の端部４２ａとの間に形成された空隙７７において移動手摺案内レール４２の端部４２ａに取り付けられる。
【００２５】
ゴミ収納箱２００は、上面のほぼ全域にわたって開口された開口部２０２を有するゴミ蓄積部２０４と、ゴミ収納箱２００を移動手摺案内レール４２に取り付けるための取付部２０６とを含んで構成される。ゴミ蓄積部２０４は、移動手摺案内レール４２の幅より少しだけ小さい幅Ｘを有し、移動手摺案内レール４２の両端部とほぼ同じ高さＹを有する箱型形状である。ゴミ蓄積部２０４は、駆動ローラ１００と移動手摺案内レール４２の端部４２ａとの間の空隙の長さＲよりも少しだけ短い奥行きの長さＺである。ゴミ収納箱２００のゴミ蓄積部２０４は、移動手摺７０の内側７０１に収納できる形状となっている。
【００２６】
取付部２０６は、ゴミ蓄積部２０４の上面の端部から移動手摺案内レール４２に向けて延伸する平板であり、取付部２０６と移動手摺案内レール４２とに設けられたネジ穴にボルト２０８を締め付けることでゴミ収納箱２００を移動手摺案内レール４２に取り付けることができる。また、ボルト２０８を緩めることで移動手摺案内レール４２からゴミ収納箱２００を取り外すことができる。
【００２７】
続いて、上記構成からなるエスカレータ１０の動作について図１〜図５を参照して説明する。エスカレータ１０を長期間使用していると、移動手摺７０と移動手摺案内レール４２との磨耗粉が移動手摺７０の内側面に付着した状態で移動手摺７０の往路側からトラス内の移動手摺７０の帰路側に移動して、これらの磨耗粉が駆動ローラ１００によって巻き上げられる。駆動ローラ１００によって巻き上げられた磨耗粉は、開口部２０２からゴミ蓄積部２０４の内部に収納される。また、勢いよく巻き上げられて取付部２０６上に蓄積されて倒れた場合にも開口部２０２からゴミ蓄積部２０４の内部に収納されることとなる。これにより、従来のように空隙７７から移動手摺７０の内側面に入り込んでしまうことを防止することができる。
【００２８】
また、ゴミ収納箱２００のゴミ蓄積部２０４は、移動手摺案内レール４２の両端部とほぼ同じ高さＹを有しており、磨耗粉をたくさん蓄積することができる。これにより、移動手摺７０の内側面を直接清掃する必要が無くなるとともに、頻繁に清掃をする必要も無くなる。また、ボルト２０８を緩めることで移動手摺案内レール４２からゴミ収納箱２００を取り外すことができるため、保守作業員は簡単に清掃作業を行うことができる。
【図面の簡単な説明】
【００２９】
【図１】本発明の一実施形態のエスカレータの構成図である。
【図２】図１におけるＡ−Ａ線断面図である。
【図３】図２におけるＢ−Ｂ線断面図である。
【図４】図１における一点鎖線Ｅの領域の拡大図である。
【図５】図４において駆動ローラと加圧ローラと移動手摺とを取り除いた状態の斜視図である。
【符号の説明】
【００３０】
４  乗客、６  乗場床、８  降場床、１０  エスカレータ、１２  ステップ、１４  ステップチェーン、１６  主駆動装置、２０  欄干部、３０  支え部、３２  内側板、４２  移動手摺案内レール、４２ａ  端部、６４  鋼芯、６６  表層部、６８  キャンバス積層部、７０  移動手摺、７７  空隙、１００  駆動ローラ、１２０  加圧ローラ、１４０  手摺駆動装置、２００  ゴミ収納箱、２０２  開口部、２０４  ゴミ蓄積部、２０６  取付部、２０８  ボルト、７０１  内側。
【図１】
2010089889.tif 000003
【図２】
2010089889.tif 000004
【図３】
2010089889.tif 000005
【図４】
2010089889.tif 000006
【図５】
2010089889.tif 000007